【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
放送波の受信信号を入力として、ほぼ一定のタイミングで現れる周期性信号を検出する周期性信号検出手段と、
前記周期性信号検出手段により複数回に亘って検出された前記周期性信号の群の分布状態を割り出す周期分布割出し手段と、
前記周期分布割出し手段により割り出した前記群の分布の幅が、所定の幅に収まるときデジタル放送ありと判定し該所定の幅に収まらないときデジタル放送無しと判定する判定手段と、
を備えてなることを特徴とするデジタル放送受信機。
【請求項２】
前記周期性信号検出手段は、自己相関器を含んでなり、該自己相関器から出力されかつ所定の閾値を超える自己相関ピークを前記周期性信号として検出することを特徴とする請求項１に記載のデジタル放送受信機。
【請求項３】
前記自己相関器の後段に設けられる周波数同期ループフィルタおよび時間同期ループフィルタを備えるとき、前記周期性信号検出手段は、前記周波数同期ループフィルタおよび時間同期ループフィルタのいずれか一方から前記自己相関ピークに連動して出力されかつ所定の閾値を超えるフィルタ出力を前記周期性信号として検出することを特徴とする請求項２に記載のデジタル放送受信機。
【請求項４】
前記周期分布割出し手段は、前記周期性信号を規定時間に亘って繰り返し検出して、前記周期性信号の群の分布状態を割り出すことを特徴とする請求項１に記載のデジタル放送受信機。
【請求項５】
前記周期分布割出し手段は、繰り返し現れる前記周期性信号を規定回数に達するまで検出して、前記周期性信号の群の分布状態を割り出すことを特徴とする請求項１に記載のデジタル放送受信機。
【請求項６】
前記判定手段は、前記周期性信号の群の分布についてその標準偏差を計算する標準偏差計算部を含んでなり、計算された標準偏差値から、前記所定の幅に収まるか否かを判定することを特徴とする請求項１に記載のデジタル放送受信機。
【請求項７】
前記判定手段は、前記周期性信号の群の分布についてその最大値と最小値を測定し、該最大値と最小値の差分の大きさから、前記所定の幅に収まるか否かを判定することを特徴とする請求項１に記載のデジタル放送受信機。
【請求項８】
複数ブランチを有するキャリアダイバーシチ構成であるとき、各該ブランチ毎に、前記周期性信号検出手段と、前記周期分布割り出し手段と、前記判定手段とを備えることを特徴とする請求項１に記載のデジタル放送受信機。
【請求項９】
前記受信信号のレベルを検出するレベル検出器を有し、選択されたチャンネルの該受信信号のレベルが所定値以下のときは放送無しと判断して、次のチャンネルを選択することを特徴とする請求項１に記載のデジタル放送受信機。
【請求項１０】
フレーム同期部を備えていて、前記判定手段によりデジタル放送ありと判定された後、その判定の確からしさを、前記フレーム同期部におけるフレーム同期の確立によって確定することを特徴とする請求項１に記載のデジタル放送受信機。
【請求項１１】
前記判定手段によりデジタル放送ありと判定されたとき、当該チャンネルの前記受信信号から抽出されるトランスポートストリームについてデコードを実施して、当該放送局名を取得することを特徴とする請求項１，９または１０のいずれか一項に記載のデジタル放送受信機。
【請求項１２】
前記判定手段において、前記所定の幅内での前記群の分布のバラツキが小さい前記デジタル放送から該バラツキの大きいデジタル放送に順に並べて、受信可能なデジタル放送の一覧をユーザーに表示することを特徴とする請求項１に記載のデジタル放送受信機。
【請求項１３】
前記レベル検出器により検出した前記受信信号のレベルが大きいチャンネルの前記デジタル放送から該レベルの小さいチャンネルのデジタル放送に順に並べて、受信可能なデジタル放送の一覧をユーザーに表示することを特徴とする請求項９に記載のデジタル放送受信機。
【請求項１４】
前記判定手段により前記デジタル放送ありと判定された複数のチャンネルがあるとき、前記受信信号の受信品質が良好なチャンネルから順に並べて、受信可能なデジタル放送の一覧をユーザーに表示することを特徴とする請求項１２または１３に記載のデジタル放送受信機。
【請求項１５】
前記判定手段により前記デジタル放送ありと判定されたチャンネルを選択する１の前記ブランチについては、当該デジタル放送の映像／音声情報をユーザーに提供しつつ、残りの前記ブランチについては、前記放送チャンネルのサーチを続行することを特徴とする請求項８に記載のデジタル放送受信機。
【請求項１６】
受信環境を推定する受信環境推定手段を有し、該受信環境に応じて、前記判定手段における前記所定の幅を広狭可変とすることを特徴とする請求項１に記載のデジタル放送受信機。
【請求項１７】
前記判定手段によりデジタル放送ありと判定された１または複数の前記チャンネルをリストアップし、そのリストアップされたチャンネルに対して、前記周期性信号検出手段と前記周期分布割出し手段と前記判定手段とによる、前記デジタル放送の有無のサーチをリトライすることを特徴とする請求項１に記載のデジタル放送受信機。
【請求項１８】
現在受信中のチャンネルから周波数軸上で隣接する他のチャンネルの前記デジタル放送に移行する際、デジタル放送ありと判定されたチャンネルを当該隣接チャンネルとなし、一方デジタル放送無しと判定されたときはさらに周波数シフトさせたチャンネルへとサーチを移行することを特徴とする請求項１に記載のデジタル放送受信機。
【請求項１９】
放送波の受信信号を入力として、ほぼ一定のタイミングで現れる周期性信号を検出する周期性信号検出手段と、
前記周期性信号検出手段により複数回に亘って検出された前記周期性信号の分布状態を割り出す周期分布割出し手段と、
前記周期分布割出し手段により割り出した前記分布状態に基づいてデジタル放送の有無を判定する判定手段と、
を備えてなることを特徴とするデジタル放送受信機。
【請求項２０】
デジタル放送受信機における放送受信方法であって、
放送波の受信信号を入力として、ほぼ一定のタイミングで現れる周期性信号を検出する検出ステップと、
前記検出ステップにおいて複数回に亘って検出された前記周期性信号の分布状態を割り出す割出しステップと、
前記割出しステップにおいて割り出した前記分布状態に基づいて前記デジタル放送の有無を判定する判定ステップと、
を有することを特徴とする放送受信方法。
【手続補正２】
【補正対象書類名】明細書
【補正対象項目名】発明の名称
【補正方法】変更
【補正の内容】
【発明の名称】デジタル放送受信機および放送受信方法
【手続補正３】
【補正対象書類名】明細書
【補正対象項目名】０００１
【補正方法】変更
【補正の内容】
【０００１】
本発明は、放送受信機例えばデジタル放送受信機であって、特に、規定の複数のチャンネルの中から、実際に放送を提供しているチャンネルすなわち放送チャンネルをサーチして検出する放送チャンネル検出装置を備えたデジタル放送受信機に関する。
【手続補正４】
【補正対象書類名】明細書
【補正対象項目名】０００２
【補正方法】変更
【補正の内容】
【０００２】
上記デジタル放送受信機における放送チャンネル検出装置は、多数のチャンネルを順次サーチしながら、その中の上記放送チャンネルを検出していく、いわゆる「チャンネルサーチ」や、地域毎に受信可能な複数の放送局のチャンネルを予め記憶して、後で簡単な選択操作で希望の放送局を受信できるようにする「オートプリセット」を実行するため等に不可欠な装置である。特に、例えば地上デジタル放送受信機や衛星デジタル放送受信機のように、例えば５０チャンネルといったきわめて多数の規定のチャンネルの中から迅速に放送チャンネルのみを捕捉する必要があるデジタル放送受信機において、上記放送チャンネル検出装置は重要な役割を果たす。
【手続補正５】
【補正対象書類名】明細書
【補正対象項目名】０００７
【補正方法】変更
【補正の内容】
【０００７】
本発明が対象とする上記デジタル放送受信機の放送チャンネル検出装置は、例えば上記の「チャンネルサーチ」等に利用されるものであるから、放送チャンネルを高速に見つけ出すことが肝要である。もしこのサーチが迅速に行われないとすると、ユーザーに不快感を与えてしまう。
【手続補正６】
【補正対象書類名】明細書
【補正対象項目名】００１７
【補正方法】変更
【補正の内容】
【００１７】
したがって本発明は、上記問題点に鑑み、従来よりも一層高速のチャンネルサーチを可能とするデジタル放送受信機および放送受信方法を提供することを目的とするものである。
【手続補正７】
【補正対象書類名】明細書
【補正対象項目名】００１８
【補正方法】変更
【補正の内容】
【００１８】
図１は本発明に係るデジタル放送受信機の基本構成図である。
本図において、左端の参照番号１０は一般的なデジタル放送受信機を表し、その概略構成は、無線チャンネルを受信するアンテナ１１と、受信した多数のチャンネルの中から所望の１つのチャンネル（放送）を選択するチャンネル選択手段１２と、選択されたチャンネルの受信信号をＯＦＤＭ復調するＯＦＤＭ復調部１３と、その復調後の受信信号より放送コンテンツを再生する映像／音声再生処理部１４と、その再生した映像情報ならびに音声情報をユーザーに視聴させるディスプレイＤＩＳＰおよびスピーカＳＰと、からなる。
【手続補正８】
【補正対象書類名】明細書
【補正対象項目名】００１９
【補正方法】変更
【補正の内容】
【００１９】
本発明は、放送チャンネル検出装置２０を有するデジタル放送受信機１０に関するものである。この放送チャンネル検出装置２０は、図示するとおり基本的に、周期性信号検出手段２１と、周期分布割出し手段２２と、判定手段２３と、からなる。この判定手段２３による判定結果は、メモリ２４に記憶し、またチャンネル選択手段１２に対し次の選局のためにフィードバックする。これら３つの手段２１，２２および２３の各機能は以下のとおりである。
【手続補正９】
【補正対象書類名】明細書
【補正対象項目名】００６４
【補正方法】変更
【補正の内容】
【００６４】
【図１】本発明に係るデジタル放送受信機の基本構成図である。
【図２】図１の基本構成を幾分具体化して示すブロック図である。
【図３】自己相関ピークを説明するためのタイミングチャートである。
【図４】自己相関器の一構成例を示す図である。
【図５】デジタルテレビ放送がある場合の自己相関ピークの分布を表す図である。
【図６】デジタルテレビ放送がない場合の自己相関ピークの分布を表す図である。
【図７】判定手段２３の第１の構成例を示す図である。
【図８】判定手段２３の第２の構成例を示す図である。
【図９】受信環境推定手段の一構成例を示す図である。
【手続補正１０】
【補正対象書類名】図面
【補正対象項目名】図１
【補正方法】変更
【補正の内容】
【図１】
2005328136.tif 000001